(57)【要約】【課題】廃棄物運搬車両による廃棄物処理場への廃棄物の搬入管理を効率よく確実に実施できる廃棄物運搬車両監視システムを提供する。【解決手段】廃棄物運搬車両１０の廃棄物処分場２０への入出場を規制するゲート２１手前の通路上に、廃棄物運搬車両１０の到来を検知し、かつ当該車両の重量を計測する踏み板式の秤２４を設け、さらに上記通路上に、秤２４に載った廃棄物運搬車両１０のナンバープレート１１を撮像するカメラ本体と、このカメラ本体に取り付けられて上記廃棄物運搬車両１０に設けたＲＦＩＤ  １２と交信するＲＦＩＤ質問器とにより構成される質問器付きカメラ２３を設ける。【選択図】図１
0003115125.tif 000002
【実用新案登録請求の範囲】
【請求項１】
廃棄物処理場のゲート近傍に設けられ、廃棄物運搬車両に設けられたＲＦＩＤの情報を読み取るＲＦＩＤ質問器を具備して、前記車両のナンバープレートを撮像するＲＦＩＤ質問器付カメラと、
前記ＲＦＩＤ質問器付カメラが撮像した情報および前記ＲＦＩＤ質問器が読み取った情報をもとに、前記廃棄物処理場へ入場する前記廃棄物運搬車両の正当性を確認し前記ゲートを開閉制御する処理装置と
を具備したことを特徴とする廃棄物運搬車両監視システム。
【請求項２】
前記処理装置は、前記ＲＦＩＤ質問器付カメラが撮像した情報から車両の登録ナンバーを取得し、前記ＲＦＩＤ質問器が読み取った情報から許認可番号を取得して、前記取得した登録ナンバーおよび許認可番号を外部のサーバに送出し、前記サーバからの応答により、認可された業者および車両であることを確認して、前記ゲートを開制御する請求項１記載の廃棄物運搬車両監視システム。
【請求項３】
前記廃棄物処理場の前記ゲートの手前に踏板式の秤を設け、前記処理装置は、前記廃棄物運搬車両の前記廃棄物処理場への入門時に於ける前記秤の計測値と、前記廃棄物運搬車両の前記廃棄物処理場からの出門時に於ける前記秤の計測値とに基づいて廃棄物の搬入量を取得し記録する手段をさらに具備する請求項１または２記載の廃棄物運搬車両監視システム。
【請求項４】
前記処理装置は、
予め登録した廃棄物運搬車両の登録ナンバーと前記ＲＦＩＤに設定した許認可番号とを対応付けて管理するテーブルと、
前記ＲＦＩＤ質問器付カメラが撮像した情報から車両の登録ナンバーを取得し、前記ＲＦＩＤ質問器が読み取った情報から許認可番号を取得して、前記取得した登録ナンバーおよび許認可番号をもとに前記テーブルを参照し、前記廃棄物処理場へ入場する前記廃棄物運搬車両の正当性を判定する判定処理手段と
を具備する請求項１記載の廃棄物運搬車両監視システム。
【請求項５】
前記廃棄物処理場の前記ゲートの手前に踏板式の秤を設け、前記処理装置は、前記廃棄物運搬車両が前記秤に載ったとき、この状態を検知して前記判定処理手段による前記処理を実行し、前記判定処理手段が前記廃棄物運搬車両に対し正当な車両であると判定したとき、前記秤の計測値に基づく積載情報を取得し、前記ゲートを開制御する搬入処理手段をさらに具備する請求項４記載の廃棄物運搬車両監視システム。
【請求項６】
前記テーブルには、前記廃棄物運搬車両の登録ナンバーおよび前記ＲＦＩＤに設定した許認可番号に加えて車両重量が予め登録され、前記搬入処理手段は、前記秤の計測値と前記テーブルに登録された車両重量とに基づいて積載情報を取得し記録する請求項５記載の廃棄物運搬車両監視システム。
【請求項７】
前記処理装置は、前記ゲートの開制御に伴って、前記廃棄物運搬車両が前記廃棄物処理場へ搬入した廃棄物の処理を委託した排出事業者に、前記委託した廃棄物が前記廃棄物処理場に搬入された旨を通知する通知手段を具備する請求項１乃至６のいずれか１項に記載の廃棄物運搬車両監視システム。
【請求項８】
前記ＲＦＩＤ質問器付カメラは、前記各情報を前記処理装置に無線伝送する伝送手段を具備する請求項１乃至６のいずれか１項に記載の廃棄物運搬車両監視システム。
【考案の詳細な説明】
【技術分野】
【０００１】
本考案は、廃棄物運搬車両による廃棄物処理場への廃棄物の搬入を管理する廃棄物運搬車両監視システムに関する。
【背景技術】
【０００２】
廃棄物運搬車両の管理技術として、廃棄物処理施設への効率的な輸送を支援するシステムが開発されている。また、車両を同定するシステムとして、例えばＣＭＯＳカメラを用いた車番認識システムが種々開発されている。
【特許文献１】特開２００４−１９２２６８号公報
【特許文献２】特開２００４−９４４１２号公報
【考案の開示】
【考案が解決しようとする課題】
【０００３】
廃棄物処理に関しては、廃棄物処理場への廃棄物の搬入が認可された正規の廃棄物処理業者並びに廃棄物運搬車両により行われることを確認する廃棄物処理の管理手段、並びに廃棄物処理を委託した排出事業者が、排出した廃棄物について適正に処分されているか否かを追跡確認する廃棄物処理の管理・証明手段が必要とされ、これらの作業を効率よく確実に実施できるシステムが要求されている。
【０００４】
本考案は上記実情に鑑みなされたもので、廃棄物運搬車両による廃棄物処理場への廃棄物の搬入管理を効率よく確実に実施できる廃棄物運搬車両監視システムを提供することを目的とする。
【課題を解決するための手段】
【０００５】
本考案は、廃棄物処理場のゲート近傍に設けられ、廃棄物運搬車両に設けられたＲＦＩＤの情報を読み取るＲＦＩＤ質問器を具備して、前記車両のナンバープレートを撮像するＲＦＩＤ質問器付カメラと、前記ＲＦＩＤ質問器付カメラが撮像した情報および前記ＲＦＩＤ質問器が読み取った情報をもとに、前記廃棄物処理場へ入場する前記廃棄物運搬車両の正当性を確認し前記ゲートを開閉制御する処理装置とを具備した廃棄物運搬車両監視システムを特徴とする。
【考案の効果】
【０００６】
廃棄物運搬車両による廃棄物処理場への廃棄物の搬入管理を効率よく確実に実施することができる。
【考案を実施するための最良の形態】
【０００７】
以下図面を参照して本考案の実施形態を説明する。  
まず、図１を参照して本考案の第１実施形態を説明する。  
図１は本考案に係る廃棄物運搬車両監視システムの構成を示したもので、図中、１０は廃棄物運搬車両、２０は廃棄物処分場、３０は管理装置を構成する情報処理装置（ＰＣ）である。
【０００８】
廃棄物処分場２０に搬入する廃棄物（ＷＰ）を積載した廃棄物運搬車両１０には、ナンバープレート１１および無線タグ１２が設けられる。この無線タグ１２はＲＦＩＤ（Radio Frequency Information Data tag）と称されるもので、被読取情報を記録したメモリを有し、後述する質問器（リーダー）から発射された所定周波数の電波を受けて上記メモリに登録（記録）された情報を質問器に送信する。ここでは、上記ＲＦＩＤ  １２のメモリに、被読取情報として、廃棄物処理業者の許認可番号を示す情報が予め登録（記録）されている。
【０００９】
廃棄物処分場２０に通じる通路上には、廃棄物運搬車両１０の廃棄物処分場２０への入出場を規制するゲート（GATE）２１、およびこのゲート２１を情報処理装置（ＰＣ）３０の制御の下に開閉制御するゲート開閉器２２が設けられる。
【００１０】
また、上記通路上のゲート２１の手前には、廃棄物運搬車両１０の到来を検知し、かつ当該車両の重量を計測する踏み板式の秤２４が設けられる。
【００１１】
さらに上記通路上には、質問器付きカメラ２３が設けられる。この質問器付きカメラ２３は、上記秤２４に載った廃棄物運搬車両１０のナンバープレート１１を撮像するカメラ本体と、このカメラ本体に取り付けられて上記廃棄物運搬車両１０に設けたＲＦＩＤ  １２と交信するＲＦＩＤ質問器とにより構成される。
【００１２】
ここで、本考案の第１実施形態に係る廃棄物運搬車両監視システムの処理動作を説明する。  
廃棄物（ＷＰ）を積載した廃棄物運搬車両１０が廃棄物処分場２０のゲート２１手前の通路上に設けられた踏み板式の秤２４に載ると、その状態が情報処理装置（ＰＣ）３０に通知される。
【００１３】
情報処理装置（ＰＣ）３０は秤２４から上記通知を受けると、質問器付きカメラ２３を起動する。質問器付きカメラ２３は、カメラ本体により上記秤２４に載った廃棄物運搬車両１０のナンバープレート１１を撮像した画像情報を取得し、ＲＦＩＤ質問器により上記廃棄物運搬車両１０に設けられたＲＦＩＤ  １２から登録（記録）情報を取得して、これらの各情報を情報処理装置（ＰＣ）３０に送出する。
【００１４】
情報処理装置（ＰＣ）３０は、質問器付きカメラ２３から受けたナンバープレート１１の画像情報を画像処理してナンバープレート１１に記載された「登録ナンバー」を取得し、ＲＦＩＤ質問器が読み取ったＲＦＩＤ  １２の情報から「許認可番号」を取得する。そして、この「登録ナンバー」および「許認可番号」を通信網を介して許認可業者のデータベースサーバに送出し、この「登録ナンバー」および「許認可番号」が、認可された業者および車両であるか否かを問い合わせる。この問い合わせによる上記サーバからの応答で、認可された業者および車両であることを確認すると、ゲート開閉器２２にゲート開情報を送出し、ゲート開閉器２２によりゲート２１を開制御して、廃棄物（ＷＰ）を積載した廃棄物運搬車両１０の廃棄物処分場２０への入場を許可する。
【００１５】
これにより、秤２４に載った状態で一時停止していた廃棄物運搬車両１０は、廃棄物処分場２０内に入り、搬入した廃棄物（ＷＰ）を廃棄処理してゲート２１から出場する。この際、廃棄物（ＷＰ）を積載した廃棄物運搬車両１０が廃棄物処分場２０に入場するときの秤２４の計測値と、廃棄物（ＷＰ）を廃棄した廃棄物運搬車両１０が廃棄物処分場２０を出場するときの秤２４の計測値とをそれぞれ情報処理装置（ＰＣ）３０が取得することで、廃棄物運搬車両１０が廃棄物処分場２０に廃棄した廃棄物（ＷＰ）の廃棄量を認識することができ、この情報を記録し、または通信網を介して許認可業者へ報告することができる。さらには廃棄物処分場２０に廃棄物（ＷＰ）を搬入した廃棄物運搬車両１０、並びに日付、廃棄物種別、廃棄量等を記録した証明書を、例えば処理を委託した排出業者に発行することも可能である。
【００１６】
つぎに、図１乃至図３を参照して本考案の第２実施形態を説明する。  
上記した第１実施形態は、質問器付きカメラ２３からの情報をもとに取得した「登録ナンバー」および「許認可番号」を通信網を介し許認可業者のデータベースサーバに送出して、認可された業者および車両であるか否かを問い合わせ、認可された業者および車両であることを確認して、ゲート２１を開制御し、廃棄物（ＷＰ）を積載した廃棄物運搬車両１０の廃棄物処分場２０への入場を許可する構成であった。これに対して、第２実施形態は、情報処理装置（ＰＣ）３０が、廃棄物運搬車両の登録ナンバーと、ＲＦＩＤに設定した許認可番号とを対応付けて予め登録した管理テーブルを有し、この管理テーブルを参照して、廃棄物処分場２０に入場しようとする廃棄物運搬車両１０の正当性を判定することで、外部のサーバにアクセスすることなく、認可された業者および車両であることを確認して、ゲート２１を開制御し、廃棄物（ＷＰ）を積載した廃棄物運搬車両１０の廃棄物処分場２０への入場を許可する構成としている。
【００１７】
この第２実施形態に於いては、情報処理装置（ＰＣ）３０が、上記質問器付きカメラ２３で撮影したナンバープレート１１の画像情報および上記ＲＦＩＤ質問器が読み取ったＲＦＩＤ  １２の情報をもとに、内部の管理テーブルを参照して、上記廃棄物処分場２０へ入場する廃棄物運搬車両１０の正当性を判定し、この判定に基づき上記ゲート２１を開閉制御する処理機能をもつ。
【００１８】
この情報処理装置（ＰＣ）３０に於ける本考案に係る部分の構成要素を図２に示し、本考案に係る部分の処理手順を図３にフローチャートで示している。
【００１９】
情報処理装置（ＰＣ）３０は、制御部３１、記憶部３２、送受信インタフェース（Ｔ／Ｒ−ＩＦ）３３、入出力インタフェース３４、通信制御部３５等の構成要素を有して構成される。なお、ここでは、情報処理装置（ＰＣ）３０と、ゲート開閉器２２、質問器付きカメラ２３、秤２４、許認可業者の情報処理装置等との各部間に於ける情報伝達をそれぞれ異なる伝送手段により行っているが、例えば無線ＬＡＮ、有線ＬＡＮ等、特定の通信手段を用いて上記各部との間に於ける情報伝送を行う構成とすることも可能である。
【００２０】
制御部３１はシステム全体の制御を司るもので、ここでは記憶部３２に格納されたアプリケーションプログラム（ＡＰ）３２２に従い、同じく記憶部３２に記憶された管理テーブル３２１を参照して、図３に示すような、廃棄物運搬車両１０による廃棄物処分場２０への廃棄物（ＷＰ）の搬入管理に係る各種処理を実行する。これらの処理については図３を参照して後述する。
【００２１】
記憶部３２には、上記制御部３１が実行するアプリケーションプログラム（ＡＰ）３２２、およびこのプログラム処理で参照される管理テーブル３２１が設けられる。この管理テーブル３２１には、廃棄物処分場２０に廃棄物（ＷＰ）を搬入する各廃棄物運搬車両１０，…に対して、各車両毎に、ナンバープレートに記載した「登録ナンバー」と、ＲＦＩＤ  １２に予め設定（登録）した廃棄物処理に係る「許認可番号」とを対応付けた管理情報が登録される。ここでは、上記した「登録ナンバー」、「許認可番号」に加え、車体重量、積載量等が対応付けて登録される。また、上記記憶部３２には、上記アプリケーションプログラム（ＡＰ）３２２の処理に於いて、質問器付きカメラ２３が撮影したナンバープレート１１の撮像情報を画像処理してナンバープレート１１に記載された「登録ナンバー」を取得するための画像データ処理領域が確保される。
【００２２】
送受信インタフェース（Ｔ／Ｒ−ＩＦ）３３は、質問器付きカメラ２３に設けられた送受信インタフェース（Ｔ／Ｒ−ＩＦ）２３ａを介して、上記質問器付きカメラ２３が撮像したナンバープレート１１の画像情報、および上記ＲＦＩＤ質問器がＲＦＩＤ  １２から読み取った情報を受け取り、この各情報を制御部３１に渡す。
【００２３】
入出力インタフェース３４は、秤２４から入力された車両検知情報、および計測情報を制御部３１に渡し、制御部３１から送出されたゲート制御情報をゲート開閉器２２に渡す。
【００２４】
通信制御部３５は、制御部３１から送出された、廃棄物処分場２０に廃棄物（ＷＰ）を搬入した廃棄物運搬車両、並びに日付、廃棄量等を記録した証明書データを、通信網を介して、処理を委託した排出業者に発送する。
【００２５】
ここで、本考案の第２実施形態に係る廃棄物運搬車両監視システムの処理動作を図３に示すフローチャートを参照して説明する。
【００２６】
廃棄物（ＷＰ）を積載した廃棄物運搬車両１０が廃棄物処分場２０のゲート２１手前の通路上に設けられた踏み板式の秤２４に載ると、車両検知情報が情報処理装置（ＰＣ）３０に通知される（ステップＳ１１）。
【００２７】
情報処理装置（ＰＣ）３０は秤２４から上記通知を受けると、質問器付きカメラ２３を起動してする。質問器付きカメラ２３は、カメラ本体により上記秤２４に載った廃棄物運搬車両１０のナンバープレート１１を撮像した画像情報を取得し、ＲＦＩＤ質問器により上記廃棄物運搬車両１０に設けられたＲＦＩＤ  １２から登録（記録）情報を取得して、これらの各情報を情報処理装置（ＰＣ）３０に送出する（ステップＳ１２）。
【００２８】
情報処理装置（ＰＣ）３０は、質問器付きカメラ２３から受けたナンバープレート１１の画像情報を画像処理してナンバープレート１１に記載された「登録ナンバー」を取得し（ステップＳ１３）、ＲＦＩＤ質問器が読み取ったＲＦＩＤ  １２の情報から「許認可番号」を取得する（ステップＳ１４）。ここまでの処理は上述した第１実施形態と同様である。
【００２９】
情報処理装置（ＰＣ）３０は、上記「登録ナンバー」および「許認可番号」をもとに管理テーブル３２１を参照し、上記「登録ナンバー」および「許認可番号」をもつ車両が管理テーブル３２１に登録されているか否かを「登録ナンバー」および「許認可番号」の照合により判定する（ステップＳ１５，Ｓ１６）。
【００３０】
ここで、上記「登録ナンバー」および「許認可番号」をもつ車両が管理テーブル３２１に登録されていない場合（ステップＳ１６  Ｎｏ）は、その旨をナンバープレート１１廃棄物運搬車両１０の運転者に通知して（ステップＳ２０）処理を終了する。
【００３１】
また、上記「登録ナンバー」および「許認可番号」をもつ車両が管理テーブル３２１に登録されている場合（ステップＳ１６  Ｙｅｓ）は、秤２４に計測した廃棄物運搬車両１０の車両重量データを入力し記録して（ステップＳ１７）、ゲート開閉器２２にゲート開情報を送出し、ゲート開閉器２２によりゲート２１を開制御して、廃棄物（ＷＰ）を積載した廃棄物運搬車両１０の廃棄物処分場２０への入場を許可する（ステップＳ１８）。
【００３２】
これにより、秤２４に載った状態で一時停止していた廃棄物運搬車両１０は、廃棄物処分場２０内に入り、搬入した廃棄物（ＷＰ）を廃棄処理してゲート２１から出場する。
【００３３】
情報処理装置（ＰＣ）３０は、上記記録した車両重量と管理テーブル３２１に登録されている該当車両の車体重量とをもとに、廃棄物処分場２０に搬入された廃棄物（ＷＰ）の廃棄量を算出し、廃棄物処分場２０に廃棄物（ＷＰ）を搬入した廃棄物運搬車両、並びに日付、廃棄量等を記録した証明書データを、通信網を介して、処理を委託した排出業者に発信する（ステップＳ１９）。
【００３４】
なお、上記ステップＳ１６の処理に於いて、「登録ナンバー」および「許認可番号」をもつ車両が管理テーブル３２１に登録されていない場合（ステップＳ１６  Ｎｏ）は、その旨をナンバープレート１１廃棄物運搬車両１０の運転者に通知して（ステップＳ２０）、廃棄物運搬車両１０のナンバープレート１１およびＲＦＩＤ  １２から読み取った「登録ナンバー」および「許認可番号」を、例えば廃棄物処分場２０の管理センター等に送信することも可能である。また上記廃棄物（ＷＰ）の廃棄量を積算することで廃棄物処分場２０の処理状態を把握することも可能である。
【図面の簡単な説明】
【００３５】
【図１】本考案の第１、第２実施形態に係る廃棄物運搬車両監視システムの構成を示す図。
【図２】本考案の第２実施形態に係る要部の構成要素を示す図。
【図３】本考案の第２実施形態に係る処理手順を示すフローチャート。
【符号の説明】
【００３６】
１０…廃棄物運搬車両、１１…ナンバープレート、１２…ＲＦＩＤ（無線タグ）１２、２０…廃棄物処分場、２１…ゲート、２２…ゲート開閉器、２３…質問器付きカメラ、２４…秤、３０…情報処理装置（ＰＣ）、３１…制御部、３２…記憶部、３３…送受信インタフェース（Ｔ／Ｒ−ＩＦ）、３４…入出力インタフェース、３５…通信制御部、３２１…管理テーブル、３２２…アプリケーションプログラム（ＡＰ）。
【図１】
0003115125.tif 000003
【図２】
0003115125.tif 000004
【図３】
0003115125.tif 000005